(57)【特許請求の範囲】
【請求項１】
プラスチックの加工品を自動成形する射出成形装置に搭載されるように構成される射出成形金型であって、前記射出成形金型は、金型分離面によって分離される少なくとも２つの別個の金型部分を備え、
少なくとも１つの第１の金型部分が、前記金型分離面に対して開口する少なくとも１つの空間が構成される外枠とともに構成され、前記少なくとも１つの空間には、少なくとも１つの交換可能な金型インサートが取り付けられ、
交換可能な前記金型インサートは、外側で前記金型分離面に面する金型キャビティサイドを有し、前記金型キャビティサイドは、複数の側面によって画定され且つ１つ又は複数の金型キャビティが設けられ、
前記金型インサートは、少なくとも１つの取付け金具を使用して前記外枠に固定され、前記少なくとも１つの取付け金具は、前記外枠に配置されるとともに、前記金型インサートの隣接する側面にそれぞれ当接し、
前記取付け金具は支持プレートを備え、前記金型インサートは、前記金型インサートの側面に、前記支持プレートに対して相補的に構成される凹部を有し、
前記支持プレート及び前記凹部は、前記支持プレートが前記凹部内に延び、前記金型インサートを前記第１の金型部分の開口した空間内で固定するように構成され、
前記取付け金具は、前記支持プレートとは別個の２つの楔形取付け金具部分を更に備え、２つの前記楔形取付け金具部分は、互いに対して傾斜する２つの楔面をそれぞれ有し、
前記楔形取付け金具部分は、２つの前記楔形取付け金具部分の前記楔面が互いの反対方向において末広がりとなるように、互いに対面するとともに互いに当接し、
一方の前記楔形取付け金具部分の一方の楔面は、前記金型インサートの前記側面に当接するように構成され、前記金型インサートにおいて、前記側面の前記凹部内へ、前記取付け金具の前記支持プレートが延在し、他方の前記楔形取付け金具部分の一方の楔面は、開口した前記空間の表面に当接するように構成されており、
前記楔形取付け金具部分のそれぞれの２つの逆向きの前記楔面は、同じ相対角度を有することを特徴とする、射出成形金型。
【請求項２】
２つの前記楔形取付け金具部分は、前記楔面が末広がりとなる方向の長手方向に互いに対して変位させることができるように、互いに取り付けられることを特徴とする、請求項１に記載の射出成形金型。
【請求項３】
前記支持プレートは、前記支持プレートの前記凹部への導入により弾性変形するように構成される少なくとも１つの弾性保持部材を備えることを特徴とする、請求項１又は２に記載の射出成形金型。
【発明の詳細な説明】
【技術分野】
【０００１】
本発明は、プラスチックの加工品を自動成形する射出成形装置に搭載されるように構成される射出成形金型に関する。本射出成形金型は、金型分離面によって分離される少なくとも２つの別個の金型部分を備え、少なくとも１つの第１の金型部分が、金型分離面に対して開口する少なくとも１つの空間が構成される外枠とともに構成される。少なくとも１つの空間には、少なくとも１つの交換可能な金型インサートが取り付けられる。交換可能な金型インサートは、外側で金型分離面に面する金型キャビティサイドを有する。この金型キャビティサイドは、複数の側面によって画定され、金型キャビティサイドには、１つ又は複数の金型キャビティが設けられる。金型インサートは、少なくとも１つの取付け金具（mounting fitting）を使用して外枠に固定される。少なくとも１つの取付け金具は、外枠に配置されるとともに、金型インサートの隣接する側面にそれぞれ当接する。
【背景技術】
【０００２】
このような射出成形金型は、例えば特許文献１から既知である。
【先行技術文献】
【特許文献】
【０００３】
【特許文献１】独国特許出願公開第１０２０１１００７９９５号
【発明の概要】
【発明が解決しようとする課題】
【０００４】
これに基づき、本発明の目的は、楔形取付け金具及び金型インサートの操作がより安全になり、したがって、工具部分及び成形工具の摩耗の減少を達成するのと同時に特に金型インサートを損失するリスクを減少させる射出成形金型を提供することである。
【課題を解決するための手段】
【０００５】
これは、請求項１に記載の本発明によって達成される。
【０００６】
楔形取付け金具部分のそれぞれの２つの逆向きの楔面は、互いに対して同じ角度を有することが特に有利である。
【０００７】
２つの楔形取付け金具部分を、楔面が末広がりとなる方向の長手方向に互いに対して変位させることができるように互いに取り付けることによって、取付け金具の特に簡単な操作が達成される。
【０００８】
この操作は、支持プレートが、この支持プレートを凹部に導入する際に弾性変形されるように構成される少なくとも１つの弾性保持部材を備える好ましい一実施形態によって更に容易になる。
【図面の簡単な説明】
【０００９】
【図１】本発明に係る取付け金具を、上方から或る角度で示す斜視図である。
【図２】図１に示す取付け金具の断面図である。
【図３】図１に示す取付け金具の更なる断面を示す断面図である。
【図４】図１、図２、及び図３に係る取付け金具の分解図である。
【図５】本発明に係る射出成形金型用の金型インサートを備える金型部分を正面から示す、説明的な略図である。
【図６】本発明に係る金型インサートを備える金型部分及び取付け金具の一部を、一方の側から或る角度で示す斜視図である。
【発明を実施するための形態】
【００１０】
このように、図１、図２、図３、及び図４により、本発明に係る楔形インサート７としてここでは構成される同じ取付け金具が示される。この楔形インサートは、ねじ１８及び円形ナット１９によって互いに変位可能に相互接続される楔形取付け金具部分８、９であって、それらの楔形状が逆に向いており、それにより、一方の楔形取付け金具部分９の楔面１０、１１が一方の方向において末広がりとなり、楔面１２、１３がその反対の方向において末広がりとなる、楔形取付け金具部分８、９を有する。
【００１１】
本発明に係る楔形インサートは、図５に示すようにボルト１５によって金型部分１内に取り付けられる。ここで、金型部分１は枠２を備え、この枠２の中で空間１４内にインサート３が配置され、このインサート３の２つの隣接する側面５、６に２つの楔形取付け金具７が配置される。
【００１２】
図５及び図６に示すように、２つの楔形取付け金具７はインサート３の側面５、６に当接し、それにより、インサート３が空間１４内で固定される。これは、金型部分１の穴１４の底部に配置される、ボルト１５のために意図されるねじ穴（図示せず）にボルト１５をねじ込むことにより、一方の楔形取付け金具部分９を下方へ空間１４内に変位させることによって達成される。このようにして、平行な楔面１０、１３は互いから離れるように変位され、それにより、楔形取付け金具はインサート３が枠２内で大きく変位することを防止する。図６に示すように、支持プレート１６のためにインサート３に構成される凹部２０内に支持プレート１６が延びるが、取り付け後、必ずしも楔形取付け金具が金型部分１の空間１４内のインサート３の側面５、６に押し当たる必要はない。したがって、楔形取付け金具７は、インサート３が空間１４内で大幅に変位するのを防止するように機能するだけでよい。
【００１３】
本発明によれば、これは支持プレート１６によるものであり、図６に示すように、支持プレート１６は、楔形取付け金具部分８、９の下で、インサート３の側面５、６にある凹部２０内に部分的に延び、それにより、インサート３が空間１４から脱落し得ないことを確実にする。
【図１】
0006672177.tif 000002
【図２】
0006672177.tif 000003
【図３】
0006672177.tif 000004
【図４】
0006672177.tif 000005
【図５】
0006672177.tif 000006
【図６】
0006672177.tif 000007